(57)【要約】【課題】本発明は、空気熱交換器において冷媒と熱交換する空気の温度が高い場合には、前記空気の温度が低い場合に比べて空気熱交換器用ファンの回転数が低くなるように制御して、圧縮機が過負荷状態となるのを防止しつつも、制御部を大型化することなく放熱効果を高く維持することのできるヒートポンプ給湯機を提供することを課題とする。【解決手段】圧縮機１，水冷媒熱交換器２，減圧装置３，空気熱交換器４，空気熱交換器用ファン５，ヒートポンプ給湯機の運転制御を行う制御部５０を備え、空気熱交換器用ファン５は、外気温が高い場合には、圧縮機１が過負荷状態となるのを防止すべく外気温が低い場合に比べて回転数が低くなるように制御されるとともに、制御部５０を構成する電気部品が発生させる熱を放熱する制御部用ファン５１が設けられ、外気温に応じて制御部用ファン５１を駆動させる。【選択図】  図１
2011007426.tif 000002
【特許請求の範囲】
【請求項１】
冷凍サイクルを構成する圧縮機，水冷媒熱交換器，減圧装置、及び空気熱交換器と、
前記空気熱交換器において冷媒と熱交換する空気の流れを発生させる空気熱交換器用ファンと、
ヒートポンプ給湯機の運転制御を行う制御部とを備えるヒートポンプ給湯機において、
前記空気熱交換器用ファンは、空気熱交換器において冷媒と熱交換する空気の温度が高い場合には、圧縮機が過負荷状態となるのを防止すべく前記空気の温度が低い場合に比べて回転数が低くなるように制御されるとともに、
前記制御部が運転制御を行う際に該制御部を構成する電気部品が発生させる熱を放熱する制御部用ファンがさらに設けられることを特徴とするヒートポンプ給湯機。
【請求項２】
外気温検出手段をさらに備え、
前記空気熱交換器用ファンは、外気温が高い場合には外気温が低い場合に比べて回転数が低くなるように制御され、
外気温に応じて前記制御部用ファンを駆動させることを特徴とする請求項１に記載のヒートポンプ給湯機。
【請求項３】
前記制御部は、放熱フィンを備え、
前記制御部用ファンによって作られる気流が前記放熱フィンに当たるように構成されることを特徴とする請求項１又は２に記載のヒートポンプ給湯機。
【請求項４】
前記制御部用ファンの回転状態を監視する制御部用ファン監視部を備え、
制御部用ファンの回転数が適正な回転数に達していない場合には、圧縮機の仕事量を低下させるように制御することを特徴とする請求項１から３のいずれか一項に記載のヒートポンプ給湯機。
【請求項５】
前記制御部用ファンの回転状態を監視する制御部用ファン監視部を備え、
気流により制御部用ファンが所定の回転数以上の回転数で回転している場合には、制御部用ファンを駆動しないことを特徴とする請求項１から４のいずれか一項に記載のヒートポンプ給湯機。
【発明の詳細な説明】
【技術分野】
【０００１】
本発明は、ヒートポンプ給湯機に関するもので、特に、運転制御を行う制御部の放熱効果を高く維持することのできるヒートポンプ給湯機に関するものである。
【背景技術】
【０００２】
ヒートポンプ給湯機は、一般的に、夜間の割引電気料金を利用してヒートポンプ運転を行い、水を加熱して高温水として貯湯タンクに蓄えておき、蛇口が開動作される等により使用される際には、前記貯湯タンク内の高温水に水を混ぜて適温水として給湯を行うものである。そして、お湯を使用し高温水が減った場合には、昼間でもヒートポンプ運転を行う場合がある。
【０００３】
このようなヒートポンプ給湯機は、運転制御を行う制御部（具体的には、例えばパワー素子等の電気部品）が熱を発生させるものであり、この熱を放熱するのに、空気熱交換器用ファンの運転による風を利用している。より具体的には、電気部品の放熱用に放熱フィンが設けられており、この放熱フィンは空気熱交換器用ファンの運転による風を利用して放熱を行っている。
【０００４】
ところで、ヒートポンプ給湯機は、空気熱交換器において空気から吸熱するものであるが、空気熱交換器において冷媒と熱交換する空気の温度が高い場合（特に夏季の昼間など外気温が高い状態）では、必要以上に吸熱すると圧縮機の圧力が高くなりすぎて過負荷状態となるおそれがある。このため、空気熱交換器用ファンは、圧縮機が過負荷状態となるのを防止すべく、回転数が低くなるように制御される。
【０００５】
しかし、例えばパワー素子等の電気部品は運転中熱を発生させるものであるため、空気熱交換器用ファンの駆動状態に関わらず放熱を行う必要がある。
【０００６】
ここで、例えば特許文献１に開示されるように、空気調和機の室外機において、電気品箱に専用の冷却ファンを設けたものが提案されている。
【０００７】
ただし、空気調和機の室外機は、冬季は空気熱交換器において空気から吸熱するために空気熱交換器用ファンを回転させ、夏季は空気熱交換器において空気へ放熱するために空気熱交換器用ファンを回転させるものである。即ち、空気調和機では、「制御部での発熱量が大きい場合には、それに付随して空気熱交換器における熱交換量も多く、空気熱交換器用ファンが高い回転数で回転している」という関係が成立している。
【先行技術文献】
【特許文献】
【０００８】
【特許文献１】特開平５−１１８６７１号公報
【発明の概要】
【発明が解決しようとする課題】
【０００９】
しかしながら、ヒートポンプ給湯機には、空気熱交換器用ファンを高い回転数で回転させることによって圧縮機が過負荷状態となり得るといった空気調和機にはない特殊な状況が存在し、制御部での発熱量が大きい場合であっても、必ずしも空気熱交換器用ファンが高い回転数で回転しているとは限らないものである。
【００１０】
従って、上記先行技術文献は、空気熱交換器において冷媒と熱交換する空気の温度が高い状態でのヒートポンプ運転中に圧縮機が過負荷状態となるのを防止しつつも、制御部の熱破壊の防止を図る場合に、直ちに参考にすることができるものではない。
【００１１】
このため、従来のヒートポンプ給湯機は、空気熱交換器において冷媒と熱交換する空気の温度が高く空気熱交換器用ファンが回転しない場合にも対応可能なように、これら電気部品を収容する電気品箱を大きくして電気部品同士の間隔を大きくするといった対策が必要であり、その結果、制御部の寸法が大型化するという問題があった。また、放熱フィンを備えるものにあっては、放熱フィンを大きくせざるを得ず、制御部の寸法が大型化するだけでなくコストもアップするという問題があった。
【００１２】
そこで、本発明は、空気熱交換器において冷媒と熱交換する空気の温度が高い場合には、前記空気の温度が低い場合に比べて空気熱交換器用ファンの回転数が低くなるように制御して、圧縮機が過負荷状態となるのを防止しつつも、制御部を大型化することなく放熱効果を高く維持することのできるヒートポンプ給湯機を提供することを課題とする。
【課題を解決するための手段】
【００１３】
本発明は、冷凍サイクルを構成する圧縮機，水冷媒熱交換器，減圧装置、及び空気熱交換器と、前記空気熱交換器において冷媒と熱交換する空気の流れを発生させる空気熱交換器用ファンと、ヒートポンプ給湯機の運転制御を行う制御部とを備えるヒートポンプ給湯機において、前記空気熱交換器用ファンは、空気熱交換器において冷媒と熱交換する空気の温度が高い場合には、圧縮機が過負荷状態となるのを防止すべく前記空気の温度が低い場合に比べて回転数が低くなるように制御されるとともに、前記制御部が運転制御を行う際に該制御部を構成する電気部品が発生させる熱を放熱する制御部用ファンがさらに設けられ、空気熱交換器において冷媒と熱交換する空気の温度に応じて前記制御部用ファンを駆動させることを特徴とする。
【００１４】
かかる構成によれば、制御部を構成する電気部品が発生させる熱を放熱する専用の制御部用ファンが設けられるため、空気熱交換器用ファンが外気温が高い場合に外気温が低い場合に比べて回転数が低くなるように制御されるヒートポンプ給湯機であっても、制御部を大型化することなく、放熱効果を高く維持することができる。なお、空気熱交換器用ファンの回転数が低くなるように制御される場合には、空気熱交換器用ファンを小さい回転数で回転させることの他、回転数が０、即ち、回転させないように制御することも含まれる。
【００１５】
また、前記ヒートポンプ給湯機は、外気温検出手段をさらに備え、前記空気熱交換器用ファンは、外気温が高い場合には外気温が低い場合に比べて回転数が低くなるように制御され、外気温に応じて前記制御部用ファンを駆動させることが好ましい。
【００１６】
また、前記制御部は、放熱フィンを備え、前記制御部用ファンによって作られる気流が前記放熱フィンに当たるように構成されることが好ましい。
【００１７】
これは、従来のヒートポンプ給湯機の課題を解決するために、外気温が高い場合の放熱フィンの放熱効果を向上させることに着目したものであり、空気熱交換器用ファンの通風に頼ることなく、放熱フィン冷却専用の制御部用ファンを採用し、外気温が高い場合、この制御部用ファンを運転制御し、放熱フィン小型化を行い、省資源を図りつつ安価に製作するようにしたものである。
【００１８】
また、前記ヒートポンプ給湯機は、外気温度検出手段をさらに備えるものであるため、例えば、外気温の高い場合にのみ制御部用ファンの駆動を行うことで、制御部用ファンの駆動時間が限られるため、製品寿命時間が短い安価なファンを使用することができると共に、放熱フィンの小型化が実現でき、材料費低減を図るといったことも可能となり得る。
【００１９】
また、前記ヒートポンプ給湯機は、前記制御部用ファンの回転状態を監視する制御部用ファン監視部を備え、制御部用ファンの回転数が適正な回転数に達していない場合には、圧縮機の仕事量を低下させるように制御することが好ましい。
【００２０】
かかる構成によれば、何らかの原因によって制御部用ファンの回転数が適正な回転数に達していない場合には、圧縮機の仕事量を低下させるように制御することで、該制御部を構成する電気部品の発熱を低減し、電気部品の熱破壊を防止し、信頼性向上を図ることができる。
【００２１】
また、前記ヒートポンプ給湯機は、前記制御部用ファンの回転状態を監視する制御部用ファン監視部を備え、気流により制御部用ファンが所定の回転数以上の回転数で回転している場合には、制御部用ファンを駆動しないことが好ましい。
【００２２】
かかる構成によれば、例えば自然風などにより通風があって制御部用ファンの駆動が不要であるときは制御部用ファンを駆動しないため、制御部用ファンの消費電力の削減を図ることができる。
【発明の効果】
【００２３】
本発明は、空気熱交換器において冷媒と熱交換する空気の温度が高い場合には、前記空気の温度が低い場合に比べて空気熱交換器用ファンの回転数が低くなるように制御して、圧縮機が過負荷状態となるのを防止しつつも、制御部を大型化することなく放熱効果を高く維持することができる。
【図面の簡単な説明】
【００２４】
【図１】本発明の実施例におけるヒートポンプ給湯機において、ヒートポンプ冷媒回路，給湯回路，運転制御手段、及び部品の概略構成の一実施例を示す模式図である。
【図２】本発明の実施例におけるヒートポンプ給湯機において、外気温に対する空気熱交換器用ファンと制御部用ファンの必要回転数の一実施例を示すグラフである。
【図３】本発明の実施例におけるヒートポンプ給湯機において、外気温に対するパワー素子の温度の一実施例を示すグラフである。
【図４】本発明の実施例におけるヒートポンプ給湯機において、制御部用ファンの制御例を示すフロー図である。
【発明を実施するための形態】
【００２５】
以下、本発明の実施形態について説明する。本実施形態に係るヒートポンプ給湯機は、冷凍サイクルを構成する圧縮機１，水冷媒熱交換器２，減圧装置３、及び空気熱交換器４と、前記空気熱交換器４において冷媒と熱交換する空気の流れを発生させる空気熱交換器用ファン５と、ヒートポンプ給湯機の運転制御を行う制御部５０とを備えるヒートポンプ給湯機において、前記空気熱交換器用ファン５は、空気熱交換器４において冷媒と熱交換する空気の温度が高い場合には、圧縮機１が過負荷状態となるのを防止すべく前記空気の温度が低い場合に比べて回転数が低くなるように制御されるとともに、前記制御部５０が運転制御を行う際に該制御部５０を構成する電気部品が発生させる熱を放熱する制御部用ファン５１がさらに設けられ、空気熱交換器４において冷媒と熱交換する空気の温度に応じて前記制御部用ファン５１を駆動させる。
【００２６】
このように、制御部５０を構成する電気部品が発生させる熱を放熱する専用の制御部用ファン５１が設けられるため、空気熱交換器用ファン５が外気温が高い場合に外気温が低い場合に比べて回転数が低くなるように制御されるヒートポンプ給湯機であっても、制御部５０を大型化することなく、放熱効果を高く維持することができる。なお、空気熱交換器用ファン５の回転数が低くなるように制御することには、空気熱交換器用ファン５を小さい回転数で回転させることの他、回転数が０、即ち、回転させないように制御することも含まれる。
【００２７】
また、このヒートポンプ給湯機は、外気温検出手段５７をさらに備え、前記空気熱交換器用ファン５は、外気温が高い場合には外気温が低い場合に比べて回転数が低くなるように制御され、外気温に応じて前記制御部用ファン５１を駆動させる。
【００２８】
また、前記制御部５０は、放熱フィン５２を備え、前記制御部用ファン５１によって作られる気流が前記放熱フィン５２に当たるように構成される。
【００２９】
これは、従来のヒートポンプ給湯機の課題を解決するために、外気温が高い場合の放熱フィン５２の放熱効果を向上させることに着目したものであり、空気熱交換器用ファン５の通風に頼ることなく、放熱フィン冷却専用の制御部用ファン５１を採用し、外気温が高い場合、この制御部用ファンを運転制御し、放熱フィン５２の小型化を行い、省資源を図りつつ安価に製作するようにしたものである。
【００３０】
また、前記ヒートポンプ給湯機は、外気温度検出手段をさらに備えるものであるため、例えば、外気温の高い場合にのみ制御部用ファン５１の駆動を行うことで、制御部用ファン５１の駆動時間が限られるため、製品寿命時間が短い安価なファンを使用することができると共に、放熱フィン５２の小型化が実現でき、材料費低減を図るといったことも可能となり得る。
【００３１】
また、このヒートポンプ給湯機は、前記制御部用ファン５１の回転状態を監視する制御部用ファン監視部を備え、制御部用ファン５１の回転数が適正な回転数に達していない場合には、圧縮機１の仕事量を低下させるように制御する。
【００３２】
従って、何らかの原因によって制御部用ファン５１の回転数が適正な回転数に達していない場合には、圧縮機１の仕事量を低下させるように制御することで、該制御部５０を構成する電気部品の発熱を低減し、電気部品の熱破壊を防止し、信頼性向上を図ることができる。なお、制御部用ファン監視部５６は、制御部５０に備えられるものであってもよく、制御部５０とは別に設けられるものであってもよい。
【００３３】
また、回転状態を監視する制御部用ファン監視部５６は、気流により制御部用ファン５１が所定の回転数以上の回転数で回転している場合には、制御部用ファン５１を駆動しない。
【００３４】
従って、例えば自然風などにより通風があって制御部用ファン５１の駆動が不要であるときは制御部用ファン５１を駆動しないため、制御部用ファン５１の消費電力の削減を図ることができる。
【実施例】
【００３５】
以下、本発明の実施例を図１〜図３によって説明する。
【００３６】
図１は本発明を適用したヒートポンプ給湯機の部品構成の一例を示す。ヒートポンプ給湯機はヒートポンプ冷媒回路の構成部品を収納したヒートポンプユニット３０と、貯湯タンク９及び給湯回路構成部品を収納した貯湯ユニット４０、及びヒートポンプユニットの運転制御を行う制御部５０，貯湯ユニット４０の運転制御手段５３を備えて構成されている。制御部５０は、放熱フィン５２及び制御部用ファン５１を備えて構成される。なお、制御部用ファン５１は、具体的には、放熱フィン５２を冷却するものであるため、放熱フィン冷却用ファンと特定することもできる。
【００３７】
ヒートポンプ冷媒回路は圧縮機１，水冷媒熱交換器２に配置された冷媒側伝熱管２ａ，２ｂ，減圧装置３，空気熱交換器４を、それぞれ冷媒配管を介して順次接続して構成されており、その中に炭酸ガス（ＣＯ2）冷媒が封入されている。
【００３８】
圧縮機１は容量制御が可能で、冬期などの高温貯湯（約７０℃〜９０℃）する場合は大きな回転数（例えば３０００〜４０００回転／分）で運転し、通常温度（約６５℃）で貯湯する場合は比較的小さい回転数（例えば１０００〜２０００回転／分）を行う。ここで、圧縮機１は制御部５０によりＰＷＭ制御，電圧制御（例えばＰＡＭ制御）及びこれらの組み合わせ制御により、低速（例えば１０００回転／分）から高速（例えば６０００回転／分）まで回転数制御ができるようになっている。
【００３９】
水冷媒熱交換器２は冷媒側伝熱管２ａ，２ｂ及び給水側伝熱管２ｃ，２ｄを備えており、冷媒側伝熱管２ａ，２ｂと給水側伝熱管２ｃ，２ｄとの間で熱交換を行うように構成されている。
【００４０】
減圧装置３としては一般に電動膨張弁が使用され、水冷媒熱交換器２を経て送られてくる中温高圧冷媒を減圧し、蒸発し易い低圧冷媒として空気熱交換器４へ送る。また、減圧装置３は冷媒回路の絞り量を変えてヒートポンプ冷媒回路内の冷媒循環量を調節する働きや、冬期低温時にヒートポンプ運転して空気熱交換器４に着霜した場合、前記絞り量を全開にして中温冷媒を空気熱交換器４に多量に送って霜を溶かす除霜装置の役目も行う。
【００４１】
空気熱交換器４は空気熱交換器用ファン（送風ファン）５の回転により外気を取り入れ空気と冷媒との熱交換を行い、外気から熱を吸収すると共に、空気熱交換器用ファン５は制御部５０の放熱フィン５２の放熱効果を高める役目を行う。
【００４２】
なお、制御部５０を構成する電気部品は、具体的には、圧縮機１を駆動制御するパワー素子（半導体）やＡＣ／ＤＣ変換コンバータ回路用パワー素子（半導体）といったマイコンなどであり、前記放熱フィン５２は、これらパワー素子のように発熱し放熱を必要とする電気部品が接続されている。さらに、電気部品としてのノイズフィルタコイルを放熱フィン５２に接続してもよい。また、これらの電気部品は、電気品箱などとも呼ばれる筐体に収容されているが、特に筐体に収容されないものであってもよい。
【００４３】
貯湯ユニット４０は貯湯，タンク給湯などを行うための水循環回路を備えて構成されている。
【００４４】
貯湯回路はタンク貯湯運転によって貯湯タンク９に高温水を貯めるための水回路で、貯湯タンク９，タンク循環ポンプ１４，給水側伝熱管２ｃ，２ｄ，貯湯タンク９が水配管を介して順次接続され構成されている。
【００４５】
タンク給湯回路は、給水金具６，減圧弁７，貯湯タンク９，湯水混合弁１１，出湯金具１２が水配管を介して順次接続され構成されている。
【００４６】
なお、給水金具６は水道などの給水源に接続され、出湯金具１２は台所蛇口１３などに接続されている。
【００４７】
また、制御部５０は貯湯ユニット４０の運転制御手段５３と通信を行っている。運転制御手段５３には台所リモコン５４，風呂リモコン５５が接続されており、このリモコンを操作し貯湯温度やヒートポンプユニットの運転開始時間等の設定を行う。運転制御手段５３は、これらの設定値に従い、制御部５０と通信を行い、制御部５０はこの通信データに従ってヒートポンプ冷媒回路の運転・停止並びに圧縮機１の回転数制御などを行うものである。
【００４８】
ヒートポンプユニット３０には、各部の冷媒温度や水温を検知するサーミスタ、及び圧縮機１の吐出圧力を検知する圧力センサ（いずれも図示せず）や外気温検出手段５７が設けられ、各検出信号は制御部５０に入力されるように構成されている。制御部５０はこれらの信号に各温度や吐出圧力値などを認識し各機器を制御するものである。制御部用ファン５１は、制御部５０により運転制御され、制御部用ファン５１が回転すると制御部用ファン監視部（ファン回転検出手段）５６によりファン回転数に比例したパルス信号が出力され、制御部５０はこのパルス信号を読み込むことで制御部用ファン５１のファン回転数及び制御部用ファン５１が回転していることを認識できる。
【００４９】
ここで、制御部５０による制御部用ファン５１の制御方法について図２，図３，図４及び表１を用いて説明する。制御部５０は、外気温検出手段５７より外気温を認識し、空気熱交換器用ファン５の回転数を５段階に制御を行う。表１に示すように、空気熱交換器用ファン５は、外気温が低ければ回転数を高く、外気温が高くなれば回転数を低くなるように制御部５０にて制御される。
【００５０】
【表１】
2011007426.tif 000003
【００５１】
よって、外気温が高いと空気熱交換器用ファン５の回転数が低くなり、放熱フィン５２の放熱効果が低下しパワー素子の発熱が高くなり、パワー素子温度限界ラインよりも温度が上がるとパワー素子が熱破壊してしまう。そこで制御部５０は、制御部用ファン５１を動作させる必要となる規定の外気温よりも外気温が高くなった場合、制御部用ファン５１を運転制御し、放熱フィン５２の放熱量を増やしパワー素子の発熱を抑える制御を実施する。なお、制御部５０は、制御部用ファン監視部５６により、制御部用ファン５１の回転数を認識し、制御を行うものである。
【００５２】
また、制御部５０は、制御部用ファン監視部５６により、制御部用ファン５１の回転数を認識しているので、制御部用ファン５１運転制御中、故障等により制御部用ファン５１が回転していなかった場合は、パワー素子の熱破壊が発生しないように、圧縮機１の仕事量を低下させるように制御する。具体的には、圧縮機の運転を抑制する。より具体的には、圧縮機１の出力を５０％に抑制する。さらに具体的には、圧縮機１の回転数を５０％に抑制する。また、必要であれば、運転を停止させてもよい。なお、圧縮機１の仕事量を低下させる方法としては、これ以外にも、減圧装置３の開度を大きくする（例えば、２倍にする）方法も考えられる。
【００５３】
ここで、圧縮機１の仕事量を５０％とする理由について説明する。ヒートポンプ給湯機は、通常時は約９０℃の温水を作ることができることが想定されているが、最低でも約４５℃の温水を作ることができれば、生活に必要な温水を提供する上で許容することができると考えられる。従って、通常時は約９０℃の温水を作ることができるヒートポンプ給湯機であれば、入水温度等によって変動するものの、圧縮機１の仕事量を５０％に低下させても、４５℃程度の温水を作ることができると考えられるからである。
【００５４】
上記記載したように、制御部用ファン５１の運転制御を説明したが、自然風により放熱フィン５２の放熱が行われ、制御部用ファン５１の運転制御が不要な場合もある。制御部５０は、制御部用ファン監視部５６により制御部用ファン５１の回転数を認識しているので、制御部用ファン５１を運転制御していないのに制御部用ファン５１が回転している場合は、自然風により制御部用ファン５１が回転していると認識する。制御部５０は、外気温と制御部用ファン５１の回転数の関係（図２）から、自然風により制御部用ファン５１の回転数が必要以上に回転している場合は、制御部用ファン５１の運転制御は実施せず、自然風により放熱フィン５２を放熱させる。
【００５５】
以上のように、本実施形態に係るヒートポンプ給湯機によれば、空気熱交換器において冷媒と熱交換する空気の温度が高い場合には、前記空気の温度が低い場合に比べて空気熱交換器用ファン５の回転数が低くなるように制御して、圧縮機が過負荷状態となるのを防止しつつも、制御部を大型化することなく放熱効果を高く維持することができる。
【００５６】
また、放熱フィン５２の小型化を行い、従来よりも安価，小型軽量化を図ったヒートポンプ給湯機を提供することができる。
【００５７】
また、制御部用ファン５１を取り付け、制御部用ファン５１により制御部５０の放熱効果を高めることで、電気部品の発熱による熱破壊が低減され、制御部５０の信頼性向上を図ることができる。
【００５８】
また、外気温の高い場合にのみ制御部用ファン５１の運転を行うため、制御部用ファン５１の運転時間が短くて済み、製品寿命時間が短い安価な制御部用ファン５１を使用することも可能となると共に、放熱フィン５２の小型化が実現でき、材料費低減を図ることができる。
【００５９】
また、制御部用ファン５１が運転中に故障し回転が止まったとしても、制御部用ファン５１の回転が止まったことをマイコンが認識し、ヒートポンプ運転を停止することで、パワー素子の熱破壊を防止することができる。
【００６０】
また、ヒートポンプ運転中、制御部用ファン監視部５６で、自然風などにより放熱フィンに通風があることを認識し、制御部用ファン５１の駆動が不要であるときは、制御部用ファン５１の駆動を行わないため、制御部用ファン５１の消費電力の低減を図ることができる。
【００６１】
なお、本発明に係るヒートポンプ給湯機は、上記実施形態に限定されるものではなく、発明の趣旨を逸脱しない範囲内で種々の変更が可能である。
【００６２】
例えば、本内容は、外気温度検出手段５７にて検出した外気温に応じて制御部用ファン５１を駆動させる制御を説明したが、これに限定されるものではなく、要は、制御部５０の温度が高温となった場合に、制御部用ファン５１を駆動させることができるものであればよい。例えば、放熱フィン５２自体に放熱フィン温度検出手段を取り付け、放熱フィン５２の温度を放熱フィン温度検出手段より直接検出し、パワー素子温度限界を超えないように制御してもよい。
【００６３】
また、上記実施形態においては、制御部５０は放熱フィン５２を備えるものとして説明したが、放熱フィン５２が備えられず、制御部用ファン５１が制御部５０を直接冷却するものであってもよい。
【符号の説明】
【００６４】
１  圧縮機
２  水冷媒熱交換器
３  減圧装置
４  空気熱交換器
５  空気熱交換器用ファン
６  給水金具
７  減圧弁
９  貯湯タンク
１１  湯水混合弁
１２  出湯金具
１３  台所蛇口
１４  タンク循環ポンプ
３０  ヒートポンプユニット
４０  貯湯ユニット
５０  制御部
５１  制御部用ファン
５２  放熱フィン
５３  運転制御手段
５４  台所リモコン
５５  風呂リモコン
５６  制御部用ファン監視部
５７  外気温検出手段
【図１】
2011007426.tif 000004
【図２】
2011007426.tif 000005
【図３】
2011007426.tif 000006
【図４】
2011007426.tif 000007